(57)【要約】【課題】スケジュールファイルを作成する際に、最初から設定に合わせたスケジュール作りが行なえ、作成したスケジュールの手直しの必要を少なくして、スケジュール作成時の労力低減を可能なスケジュール作成装置およびスケジュール作成プログラムを提供する。【解決手段】スケジュール設定表７０へのスケジュールの入力および編集に基づいてスケジュールファイル１２０を作成するスケジュールファイル作成手段５０は、スケジュール設定表７０として２日間分の表を連続して表示させ、スケジュール入力前においては、スケジュールを入力できる入力可能範囲を最初の日の全体に設定し、スケジュールが入力された後は、最先のスケジュールの開始時刻から２４時間経過後を入力可能範囲の終了時刻とし、入力されたスケジュールのうち、最後のスケジュールの終了時刻から２４時間さかのぼったときを入力可能範囲の開始時刻とし、スケジュールを入力できる入力可能範囲を該開始時刻と終了時刻とで囲まれた範囲に設定する。【選択図】        図７
2004279533.tif 000002
【特許請求の範囲】
【請求項１】
複数のコンテンツを再生可能なＢＧＭプレーヤに再生させる各コンテンツの再生日時を指定するスケジュールファイルを作成するスケジュール作成装置において、
モニタ等の表示手段と、
１日が所定の長さで表示され且つ該１日を所定の単位時間で区切って形成されたスケジュール設定表を前記表示手段に表示させ、前記ＢＧＭプレーヤに再生させる各コンテンツの再生日時を指定するスケジュールを前記スケジュール設定表へ入力および前記スケジュール設定表で編集可能に設けられ、該スケジュールの入力および編集に基づいて該各コンテンツの識別子および再生日時が記述されたスケジュールファイルを作成するスケジュールファイル作成手段とを具備し、
該スケジュールファイル作成手段は、
前記スケジュール設定表として２日間分の表を連続して表示させ、
スケジュール入力前においては、スケジュール設定表２日間のうちの最初の日からスケジュールが開始できるよう、スケジュールを入力できる入力可能範囲を最初の日の全体に設定し、
１または複数のスケジュールが入力された後においては、入力されたスケジュールのうち、最先のスケジュールの開始時刻から２４時間経過後を入力可能範囲の終了時刻とし、入力されたスケジュールのうち、最後のスケジュールの終了時刻から２４時間さかのぼったときを入力可能範囲の開始時刻とし、スケジュールを入力できる入力可能範囲を該開始時刻と終了時刻とで囲まれた範囲に設定することを特徴とするスケジュール作成装置。
【請求項２】
前記スケジュール作成手段は、
前記開始時刻と前記終了時刻とで囲まれた入力可能範囲のみを表示手段へ表示させることを特徴とする請求項１記載のスケジュール作成装置。
【請求項３】
前記スケジュール作成手段は、
前記入力可能範囲の開始時刻を設定する際に、入力されたスケジュールのうち最後のスケジュールの終了時刻から２４時間さかのぼると、スケジュール設定表が最初に表示した２日間分の最初の日の０時以前になる場合には、入力可能範囲の開始時刻を最初の日の０時に設定することを特徴とする請求項１または請求項２記載のスケジュール作成装置。
【請求項４】
モニタ等の表示手段を具備し、複数のコンテンツを再生可能なＢＧＭプレーヤに再生させる各コンテンツの再生日時を指定するスケジュールファイルを作成するために、コンピュータ読み取り可能なスケジュール作成プログラムであって、
前記ＢＧＭプレーヤに再生させる各コンテンツの再生日時を指定するスケジュールをスケジュール設定表へ入力可能であって、且つスケジュール設定表でスケジュールを編集可能な機能、
１日が所定の長さで表示され且つ該１日を所定の単位時間で区切って形成されたスケジュール設定表として２日間分の表を連続して表示させる機能、
スケジュール入力前においては、スケジュール設定表２日間のうちの最初の日からスケジュールが開始できるよう、スケジュールを入力できる入力可能範囲を最初の日の全体に設定する機能、
１または複数のスケジュールが入力された後においては、入力されたスケジュールのうち、最先のスケジュールの開始時刻から２４時間経過後を入力可能範囲の終了時刻とし、入力されたスケジュールのうち、最後のスケジュールの終了時刻から２４時間さかのぼったときを入力可能範囲の開始時刻とし、スケジュールを入力できる入力可能範囲を該開始時刻と終了時刻とで囲まれた範囲に設定する機能、
前記スケジュール設定表への入力および前記スケジュール設定表での編集に基づいて各コンテンツの識別子および再生日時が記述されたスケジュールファイルを作成する機能とをスケジュール作成装置に実行させることを特徴とするコンピュータ読み取り可能なスケジュール作成プログラム。
【請求項５】
前記開始時刻と終了時刻とで囲まれた入力可能範囲のみを表示手段へ表示させる機能をスケジュール作成装置に実行させることを特徴とする請求項４記載のコンピュータ読み取り可能なスケジュール作成プログラム。
【請求項６】
前記入力可能範囲の開始時刻を設定する際に、入力されたスケジュールのうち最後のスケジュールの終了時刻から２４時間さかのぼると、スケジュール設定表が最初に表示した２日間分の最初の日の０時以前になる場合には、入力可能範囲の開始時刻を最初の日の０時に設定する機能をスケジュール作成装置に実行させることを特徴とする請求項４または請求項５記載のコンピュータ読み取り可能なスケジュール作成プログラム。
【発明の詳細な説明】
【０００１】
【発明の属する技術分野】
本発明は店舗内に設置されたＢＧＭプレーヤに再生させるべき各コンテンツの再生日時を指定するスケジュールファイルを作成するスケジュール作成装置およびスケジュール作成プログラムに関する。
【０００２】
【従来の技術】
まずＢＧＭプレーヤについて概略を説明する。
ＢＧＭプレーヤは、スーパーマーケット等の店舗内に設置され、内蔵している記憶手段に記憶されている楽曲や画像等のコンテンツを店舗の営業中に再生することができるＢＧＭ装置の一つである。
【０００３】
このようなＢＧＭプレーヤは、予め再生すべきコンテンツを記録した記録媒体（ＣＤ等）を代理店が配布したものを受け取ることによってコンテンツを入手していた。
しかし、近年においては、コンテンツを要求するＢＧＭプレーヤが電話回線等を用いてコンテンツを格納している端末に接続して直接ダウンロードする方法や、コンテンツを格納しているサーバが接続されたＬＡＮやインターネットにコンテンツを要求するＢＧＭプレーヤを接続させて、コンテンツ格納サーバからダウンロードする手法が確立されてきた。
【０００４】
なお、このようなＢＧＭプレーヤにおいては、何時、どのコンテンツを再生するかというスケジュールについては、ＢＧＭプレーヤ内に制御プログラムとして予め記憶されており、ＢＧＭプレーヤの制御部がこのスケジュールに基づいてコンテンツの再生を行なっていた。
【０００５】
また、ＢＧＭを提供し、ＢＧＭプレーヤを管理する代理店内に設置されたデータ送信装置から、店舗内のデータ受信装置（ＢＧＭプレーヤ）に対して処理コマンドが記述された電子メールを送信することにより、ＢＧＭプレーヤをデータ送信装置に接続させてコンテンツを受信させるＢＧＭ再生システムも提案されている（特許文献１参照）。
これによると、データ送信装置は一通の電子メールを送信するのみで、必要なコンテンツの入手や、入手したコンテンツの再生日時等のスケジュールの指示を行なうことができる。
【０００６】
データ送信装置には、スケジュールを作成するスケジュール作成装置が通信回線を通じて接続されている。
ここで、従来のスケジュール作成装置における、スケジュール作成時にモニタに表示される画面について、図１０に基づいて説明する。
まず、モニタには所定単位時間毎に区切られて、０時から２４時までの間に再生すべきコンテンツを入力できるようなスケジュール設定表１が表示される。ユーザは、この表内で任意のコンテンツをいつ再生させるかを入力することができる。
この例では、９時から１０時までＢＧＭ１を再生し、１１時から１２時までＢＧＭ２を再生し、１２時から１６時までＢＧＭ３を再生し、１６時から２１時まではＢＧＭ４を再生させるようなスケジュールをユーザが入力したこととなる。
【０００７】
【特許文献１】
特開２００１−２８２６８９号公報（図１５）
【０００８】
【発明が解決しようとする課題】
上述したスケジュール作成装置において、従来の表示では、表の区切りが０時から２４時までしかないので、例えば営業時間が１８時から翌日の５時まで等、夜間営業をするような店舗内にＢＧＭプレーヤを設置する場合には、１日目の１８時から２４時までのスケジュールと、２日目の０時から５時までのスケジュールと、２つのスケジュールを作成してこれら２つのスケジュールを組み合わせて運用しなくてはならなかったので、スケジュール作成に手間がかかっていたという課題があった。
【０００９】
また、１つのスケジュールの時間的長さとしては、運用の問題上ある程度の長さを限度とすることが望ましい。従来のスケジュール作成においては、その長さは２４時間を限度とし、２４時間を超えたスケジュールを作成した場合にあっては、作成後にユーザに対して警告を発し、作成し直すように促す動作が行なわれていた。
しかし、スケジュールを作成した後に、手直しをするのでは手間がかかるので、最初の作成時にスケジュールの手直しが必要が無いような仕組みにすることが望まれているという課題があった。
【００１０】
そこで、本発明は上記課題を解決すべくなされ、その目的とするところは、スケジュールファイルを作成する際に、最初から設定に合わせたスケジュール作りが行なえ、作成したスケジュールの手直しの必要を少なくして、スケジュール作成時の労力低減を可能としたスケジュール作成装置およびスケジュール作成プログラムを提供することにある。
【００１１】
【課題を解決するための手段】
本発明にかかるスケジュール作成装置によれば、複数のコンテンツを再生可能なＢＧＭプレーヤに再生させる各コンテンツの再生日時を指定するスケジュールファイルを作成するスケジュール作成装置において、モニタ等の表示手段と、１日が所定の長さで表示され且つ該１日を所定の単位時間で区切って形成されたスケジュール設定表を前記表示手段に表示させ、前記ＢＧＭプレーヤに再生させる各コンテンツの再生日時を指定するスケジュールを前記スケジュール設定表へ入力および前記スケジュール設定表で編集可能に設けられ、該スケジュールの入力および編集に基づいて該各コンテンツの識別子および再生日時が記述されたスケジュールファイルを作成するスケジュールファイル作成手段とを具備し、該スケジュールファイル作成手段は、前記スケジュール設定表として２日間分の表を連続して表示させ、スケジュール入力前においては、スケジュール設定表２日間のうちの最初の日からスケジュールが開始できるよう、スケジュールを入力できる入力可能範囲を最初の日の全体に設定し、１または複数のスケジュールが入力された後においては、入力されたスケジュールのうち、最先のスケジュールの開始時刻から２４時間経過後を入力可能範囲の終了時刻とし、入力されたスケジュールのうち、最後のスケジュールの終了時刻から２４時間さかのぼったときを入力可能範囲の開始時刻とし、スケジュールを入力できる入力可能範囲を該開始時刻と終了時刻とで囲まれた範囲に設定することを特徴としている。
【００１２】
この構成を採用することによる作用は以下の通りである。
すなわち、表示手段には２日分のスケジュール設定表が表示されるため、２４時（翌日０時）を越えて翌日まで営業をするような店舗用のスケジュールを作成する場合であっても、翌日まで含めて１つのスケジュールとして作成できる。
また、２日のうち最初の日からのみスケジュールが開始されるように入力可能となるので、２日のうちの２日目から開始されるようなスケジュールをたてることができなくなる。
さらに、入力されたスケジュールのうち、最先のスケジュールの開始時刻から２４時間経過後を入力可能範囲の終了時刻とし、入力されたスケジュールのうち、最後のスケジュールの終了時刻から２４時間さかのぼったときを入力可能範囲の開始時刻とし、該開始時刻と終了時刻とで囲まれた範囲のみを入力可能としたことで、１日の始まり（０時）から１日の終わり（２４時）にかかわらず、２日間にまたがったようなスケジュールを２４時間単位で設定することができる。
【００１３】
また、前記スケジュール作成手段は、前記開始時刻と終了時刻とで囲まれた範囲のみを表示手段へ表示させるようにすることで、確実に２４時間で収まるスケジュールを作成できる。
【００１４】
さらに、前記スケジュール作成手段は、前記入力可能範囲の開始時刻を設定する際に、入力されたスケジュールのうち最後のスケジュールの終了時刻から２４時間さかのぼると、スケジュール設定表が最初に表示した２日間分の最初の日の０時以前になる場合には、入力可能範囲の開始時刻を最初の日の０時に設定することとしてもよい。このような構成にすれば、最初に表示した２日間の間で確実にスケジュールをたてることができる。
【００１５】
本発明にかかるコンピュータ読み取り可能なスケジュール作成プログラムによれば、モニタ等の表示手段を具備し、複数のコンテンツを再生可能なＢＧＭプレーヤに再生させる各コンテンツの再生日時を指定するスケジュールファイルを作成するために、コンピュータ読み取り可能なスケジュール作成プログラムであって、前記ＢＧＭプレーヤに再生させる各コンテンツの再生日時を指定するスケジュールをスケジュール設定表へ入力可能であって、且つスケジュール設定表でスケジュールを編集可能な機能、１日が所定の長さで表示され且つ該１日を所定の単位時間で区切って形成されたスケジュール設定表として２日間分の表を連続して表示させる機能、スケジュール入力前においては、スケジュール設定表２日間のうちの最初の日からスケジュールが開始できるよう、スケジュールを入力できる入力可能範囲を最初の日の全体に設定する機能、１または複数のスケジュールが入力された後においては、入力されたスケジュールのうち、最先のスケジュールの開始時刻から２４時間経過後を入力可能範囲の終了時刻とし、入力されたスケジュールのうち、最後のスケジュールの終了時刻から２４時間さかのぼったときを入力可能範囲の開始時刻とし、スケジュールを入力できる入力可能範囲を該開始時刻と終了時刻とで囲まれた範囲に設定する機能、前記スケジュール設定表への入力および前記スケジュール設定表での編集に基づいて各コンテンツの識別子および再生日時が記述されたスケジュールファイルを作成する機能とをスケジュール作成装置に実行させることを特徴としている。
【００１６】
このプログラムによる作用は以下の通りである。
すなわち、本プログラムを搭載したスケジュール作成装置では、２日分のスケジュール設定表が表示されるため、２４時（翌日０時）を越えて翌日まで営業をするような店舗用のスケジュールを作成する場合であっても、翌日まで含めて１つのスケジュールとして作成できる。
また、２日のうち最初の日からのみスケジュールが開始されるように入力可能となるので、２日のうちの２日目から開始されるようなスケジュールをたてることができなくなる。
さらに、入力されたスケジュールのうち、最先のスケジュールの開始時刻から２４時間経過後を入力可能範囲の終了時刻とし、入力されたスケジュールのうち、最後のスケジュールの終了時刻から２４時間さかのぼったときを入力可能範囲の開始時刻とし、該開始時刻と終了時刻とで囲まれた範囲のみを入力可能としたことで、１日の始まり（０時）から１日の終わり（２４時）にかかわらず、２日間にまたがったようなスケジュールを２４時間単位で設定することができる。
【００１７】
また、前記開始時刻と終了時刻とで囲まれた範囲のみを表示手段へ表示させる機能をスケジュール作成装置に実行させることによれば、このプログラムを搭載したスケジュール作成装置では、確実に２４時間で収まるスケジュールを作成できる。
【００１８】
さらに、前記入力可能範囲の開始時刻を設定する際に、入力されたスケジュールのうち最後のスケジュールの終了時刻から２４時間さかのぼると、スケジュール設定表が最初に表示した２日間分の最初の日の０時以前になる場合には、入力可能範囲の開始時刻を最初の日の０時に設定する機能をスケジュール作成装置に実行させることとしてもよい。このようにすれば、最初に表示した２日間の間で確実にスケジュールをたてることができる。
【００１９】
【発明の実施の形態】
以下、本発明の好適な実施の形態を添付図面に基づいて詳細に説明する。
まず、本発明のスケジュール作成装置を含む、ＢＧＭ再生システム１０の全体の概要について図１を用いて説明する。図１は、電子メールの送受信が可能なネットワークの一般的な構成を示す説明図である。
このＢＧＭ再生システム１０には、スーパーマーケットや百貨店等の店舗２と、店舗２にＢＧＭを提供し、またＢＧＭプレーヤの保守作業等を行なう代理店４とが示されている。
【００２０】
店舗２内にはＢＧＭプレーヤ１６が設置されている。ＢＧＭプレーヤ１６は、代理店４側で作成したコマンドに基づいてその動作が制御され、代理店４から指示されたコンテンツの再生を行なう。ＢＧＭプレーヤ１６の構成および詳細な動作については本明細書では説明しない。
【００２１】
代理店４内には、ＢＧＭプレーヤ１６の動作設定をするコマンドを送信するデータ送信システム１４が設置されている。
本実施形態によるデータ送信システム１４は、スケジュールファイルを作成するスケジュールファイル作成装置１７と、スケジュールファイル作成装置１７によって作成されたスケジュールファイルをＢＧＭプレーヤ１６が読み込んで実行可能なコマンドに変換し、電子メールにコマンドを記述（添付も含む）するコマンド作成装置１８とから構成されている。コマンドとしては、所定のコンテンツを該当するコンテンツ格納サーバ２８からダウンロードするように指示するコマンドや、コンテンツの再生スケジュールとしてのコマンド等がある。
本実施形態におけるスケジュールファイル作成装置１７とコマンド作成装置１８とは、ＬＡＮその他の通信回線で接続されている。
【００２２】
ネットワークの一例であるインターネット１２上には、ＢＧＭプレーヤ１６に配信するコンテンツが蓄積されたコンテンツ格納サーバ２８と、データ送信システム１４からＢＧＭプレーヤ１６に送信する電子メール２４を中継するメールサーバ２６とが設けられている。メールサーバ２６により、ＢＧＭプレーヤ１６と、代理店４のデータ送信システム１４との間は、インターネット１２を使用して電子メール２４を互いにやり取り可能となる。
【００２３】
次に、本発明のスケジュールファイル作成装置１７の構造と動作について図２に基づいて説明する。
なお、以下ユーザとは、代理店４内でデータ送信システム１４を操作し、スケジュールをたててＢＧＭプレーヤ１６の管理を行なう者をいう。
スケジュールファイル作成装置１７は、ＣＰＵやメモリ等から構成される制御部４０、ハードディスクドライブ等の記憶手段４２、インターネット１２等の通信ネットワークに接続してデータの送受信を行なう通信部４４、モニタ装置等の表示手段４５、キーボードやポインティングデバイス等の入力手段４６等を具備する一般的なパーソナルコンピュータ（汎用コンピュータ）で構成することができる。
【００２４】
スケジュールファイルを作成するスケジュールファイル作成手段５０は、記憶手段４２内に予め記憶されているスケジュール作成プログラムを制御部４０が実行することによって実現される。
【００２５】
スケジュールファイル作成手段の動作について図３〜図５に基づいて説明する。
スケジュールファイル作成手段５０を作動させると、図３に示すような画面が表示手段４５に表示される。
この表示画面は、スケジュールの有効期間、優先順位またはタイトル等を設定するための初期設定画面６０である。
有効期間は、これから作成するスケジュールの再生日時の開始日と終了日をテキストボックス６１，６２に入力することで、日単位で設定される。この初期設定では、スケジュールファイル作成手段５０の一機能としての有効期間設定手段５２が、有効期間の開始時刻を開始日の０時に設定し、有効期間の終了時刻を終了日の２４時に設定して有効期間記憶手段４７内に記憶する。
なお、この初期設定画面６０では有効期間の時分まで設定する入力ボックス６３も設けられてはいるが、この段階ではユーザが設定できるようには設けられておらず、スケジュールファイルの作成後にユーザ自ら設定することができる（後述する）。なお、有効期間の自動設定についての詳細は後述する。
【００２６】
また、この初期設定画面６０ではこれから作成するスケジュールの優先順位をユーザが指定できる。優先順位はＢＧＭプレーヤ１６内で複数にスケジュールに基づく複数のコマンドが存在する場合に、実行される順番を決めるものである。優先順位は、優先順位設定ボックス６４内で、予め設定された順位のいずれかを選択して決定可能である。本実施形態では、優先順位は「最優先」、「高」、「中」、「低」のいずれかの順位を選択できる。
【００２７】
また優先順位設定ボックス６４の下方には、タイトルを入力するテキストボックス６５と、作成者名を入力するテキストボックス６６が設けられている。
これら各入力ボックスに必要事項を入力したらＯＫボタン６７をクリックすることで、これから作成するスケジュールファイルの設定が登録される。
初期設定画面６０を閉じると、次の画面（図４）に移行する。
【００２８】
図４に、具体的にスケジュールを作成するためのスケジュール設定表７０を示す。
スケジュール設定表７０は、ユーザが選択した任意のコンテンツをどの時間帯で再生するかを設定可能な画面である。
このスケジュール設定表７０では、ユーザが、コンテンツ名が記載されたアイコン７２を所定単位時間毎に区切られた表に貼り付け、表の中でアイコン７２を引き延ばしたり、あるいは縮小させることによって（矢印Ａおよび矢印Ｂ）、コンテンツを何時から何時まで再生させるかの設定ができる。
【００２９】
表のスケールは、スケール選択ボタン７１のうちのいずれかをクリックすることによって、１時間、３０分、５分、１分の各単位に変更する事ができる。したがって、１分単位にスケール変更すれば、１分単位でのコンテンツのスケジュールを設定できる。
また、後述するように、スケジュール設定表７０は、最初に表示手段４５で開いた段階、すなわちまだスケジュールを入力する（アイコンを貼り付ける）前の段階では２日間分の時間帯が表示される。
【００３０】
なお、コンテンツには「ＢＧＭ（Ｂａｃｋ  Ｇｒｏｕｎｄ  Ｍｕｓｉｃ）」、「ＣＭ（Ｃｏｍｍｅｒｃｉａｌ  Ｍｅｓｓａｇｅ）」、「ＢＧＶ（Ｂａｃｋ  Ｇｒｏｕｎｄ  Ｖｉｄｅｏ）」、「ＣＭＶ（Ｃｏｍｍｅｒｃｉａｌ  Ｍｅｓｓａｇｅ  Ｖｉｄｅｏ）」の４種類がある。
１つのスケジュールファイルには、これら４種類のコンテンツを取り混ぜて設定する設定することができる。なお、「ＢＧＭ」と「ＣＭ」は共に音声データであるので、１つのスケジュールファイル上で重複して設定しても同時に再生することはできない。かかる場合、「ＣＭ」にかかるコンテンツを「ＢＧＭ」よりも優先して再生するように設定される。「ＣＭ」の方がデータとして短く、緊急性を要する場合も考えられるためである。
具体的には、図４のＢＧＭコンテンツのアイコン７２ａとＣＭコンテンツのアイコン７２ｂとの重複部分ではＣＭコンテンツが優先して再生され、ＢＧＭコンテンツのアイコン７２ａの重複部分（符号７２ｃ）の再生はされないこととなる。
【００３１】
また、「ＢＧＶ」と「ＣＭＶ」とは共に画像データであるので、１つのスケジュールファイル上で重複して設定しても同時に再生することはできない。かかる場合、「ＣＭＶ」にかかるコンテンツを「ＢＧＶ」よりも優先して再生するように設定される。「ＣＭＶ」の方がデータとして短く、緊急性を要する場合も考えられるためである。
【００３２】
なお、音声データである「ＢＧＭ」「ＣＭ」と、画像データである「ＢＧＶ」「ＣＭＶ」との間では、同一時間内で重複して設定しても同時に再生することができる。
具体的には、図４でＣＭＶコンテンツのアイコン７２ｄとＢＧＭコンテンツのアイコン７２ａが重複して設定されていても、双方のコンテンツが共に再生されることとなる。
【００３３】
なお、スケジュール設定表７０上で貼り付け可能な、コンテンツ名が記載されたアイコン７２とは、スケジュール作成装置１７が所有しているコンテンツ情報に基づいて作成されるものである。
コンテンツ情報とは、ユーザがコンテンツ所有者から提供された情報であって、コンテンツ名やコンテンツが格納されたコンテンツ格納サーバ２８の格納パス等のことである。
【００３４】
アイコン７２の作成は、以下の手順で行なわれる。
ユーザが任意のコンテンツの読み出しボタン７４をクリックすることによって、スケジュールファイル作成装置１７の中の所定のフォルダ内に記憶されているコンテンツ情報の一覧が表示手段４５に表示される。ユーザは、表示されたコンテンツ情報の中から任意のコンテンツ情報を選択する。すると、スケジュールファイル作成手段５０は、選択されたコンテンツ名が記載されたアイコンを作成し、表示手段４５の画面上で移動可能・大きさ拡縮可能となるように表示する。
【００３５】
スケジュール設定表７０でコンテンツの１日の時間内での配置が終了すると、ここで設定されたスケジュールが、基本スケジュールファイルとして記憶手段４２内に記憶される。
【００３６】
次に、スケジュールファイル作成手段５０が、スケジュール設定表７０を表示させる際の動作について、図５〜図７に基づいて説明する。
なお、ここで示すスケジュール設定表は、図４に示したものを簡略化して図示したものであり、所定の単位時間毎に表示されるマス目等は省略している。
まず、図５に示すように、スケジュールファイル作成手段５０は、スケジュール設定表７０として２日間分（４８時間分）連続して表示させる。
そして、スケジュールファイル作成手段５０は、表示されたスケジュール設定表７０のうち、最初の２４時間（１日目）からのみ、コンテンツ名が記載されたアイコン７２を貼り付けることができるように設定している。すなわち、スケジュールファイル作成手段５０は、表示されたスケジュール設定表のうち、１日目のみを入力可能範囲として設定し、２日目を入力不可範囲として設定する。
【００３７】
そして、図６に示すように、ユーザが、スケジュール設定表７０のうち、１日目にいずれかのアイコン７２を任意の時間帯に貼り付け、最初のスケジュールを入力したとする。図６では具体的に、ユーザは１日目の１０時から１４時までＢＧＭ１というコンテンツ名のアイコン７２を貼り付け、スケジュールをたてたとする。
【００３８】
すると、スケジュールファイル作成手段５０は、この最初に入力されたスケジュールの開始時刻ｔ１（１０時）から、２４時間経過後を入力可能範囲の終了時刻ｔｅ１（３４時（２日目の１０時））として設定する。さらに、スケジュールファイル作成手段５０は、入力されたスケジュールの終了時刻ｔ２から２４時間さかのぼったときを入力可能範囲の開始時刻ｔｓ１として設定する。ただし入力されたスケジュールの終了時刻ｔ２から２４時間さかのぼると、１日目のさらに前日になってしまうので、入力可能範囲の開始時刻ｔｓ１は、１日目の０時に設定する。
【００３９】
このように、スケジュールファイル作成手段５０は、ユーザが最初に入力したスケジュールの開始時刻ｔ１と終了時刻ｔ２に基づいて、開始時刻ｔｓ１から終了時刻ｔｅ１までの入力可能範囲を設定する。
【００４０】
続いて、ユーザが次のスケジュールを入力する場合について説明する（図７）。
次のスケジュールを入力できるのは、図６において設定された入力可能範囲内（時刻ｔｓ１〜時刻ｔｅ１）のみである。
図７においては、ユーザは１日目の２２時から２日目の８時までＢＧＭ２というコンテンツ名のアイコン７２を貼り付け、スケジュールをたてたとする。
【００４１】
すると、スケジュールファイル作成手段５０は、時間的に最先のスケジュールの開始時刻ｔ１（１０時）から、２４時間経過後を入力可能範囲の終了時刻ｔｅ２（３４時（２日目の１０時））として設定する。さらに、スケジュールファイル作成手段５０は、時間的に最後のスケジュールの終了時刻ｔ３から２４時間さかのぼったときを入力可能範囲の開始時刻ｔｓ２（１日目の８時）として設定する。
【００４２】
このように、スケジュールファイル作成手段５０は、ユーザが入力したスケジュールのうち、最先のスケジュールの開始時刻ｔ１と、最後のスケジュールの終了時刻ｔ３に基づいて、開始時刻ｔｓ２から終了時刻ｔｅ２までの入力可能範囲を設定する。
ユーザがさらに３つ目のスケジュールを入力しようとするときは、図７に示した入力可能範囲（時刻ｔｓ２〜時刻ｔｅ２）内でしか入力することができない。そして、図７の入力可能範囲（時刻ｔｓ２〜時刻ｔｅ２）内でさらに別のスケジュールを入力した場合、さらにその入力したスケジュールが時間的に最先かまたは最後であれば、この新たに入力したスケジュールの開始時刻または終了時刻に合わせて入力可能範囲が再設定される。
したがって、このように入力可能範囲は、スケジュールを入力すればするだけ短くなっていき、入力可能範囲が２４時間となるように収束されていく。
【００４３】
このため、ユーザは１つのスケジュールファイルを２４時間を越えないようにして作成することができる。つまり、１つのスケジュールファイルの時間的長さとしては、運用の問題上２４時間を限度とすることが望ましいので、従来のスケジュール作成時のように、２４時間を超えるようなスケジュールファイルを作成してから手直しをするよりも、最初から２４時間越えないように作成できるので、作成時に手間をかけないようにすることができる。
【００４４】
なお、図５，図６および図７では入力不可範囲は、入力可能範囲とは異なる色彩を付して、ユーザに入力できないことを注意させる程度に表示させるような画面であった。
しかし、スケジュールファイル作成手段５０は、入力不可範囲を表示手段４５には何ら表示させないようにしてもよい。このような構成を採用すれば、入力可能範囲のみが、ユーザがスケジュールを入力するたびに縮小されて表示されることとなる。このため、ユーザにとってはスケジュールを入力可能範囲内に収まるようにのみ留意してスケジュールをたてることができ、確実に２４時間で収まるスケジュールを作成できる。
【００４５】
次に、図４〜図７において設定された基本スケジュールを長期間でどのように運用するかを設定する画面について説明する。
図８に、上記手順で作成した１つの基本スケジュールファイルを年間および週間でどのように実行するかを設定できる長期スケジュール設定画面８０を示す。上部の表８１では週間スケジュールを設定可能である。ここには、どの基本スケジュールについて設定するかを選択するボックス８２が設けられている。表８１では、ボックス８２で選択された基本スケジュールを何曜日には実行して、何曜日には実行しないようにするかを設定できる。
これにより、例えば水曜日が定休日の店舗では水曜日にはコンテンツの再生がされないように基本スケジュールの設定を外し、他の曜日は基本スケジュールを設定するようなことができる。
なお、曜日毎に異なる基本スケジュールを実行するような設定も可能である。
【００４６】
下の表８４は年間スケジュールを設定可能である。ここでは、どの基本スケジュールについて設定するかを選択するボックス８５、この選択された基本スケジュールの有効期間の設定として開始日時と終了日時を選択させるボックス８６が設けられている。これにより、曜日に関係なく、何年何月何日から何年何月何日までは基本スケジュールを実行するか長期間の設定ができる。
ただし、表８４ではボックス８６で開始と終了の期間が設定されても、例えば何月何日は会社の創立記念日で休みになるというような場合等、曜日とは関係無く特定の日においてスケジュールの設定を外すことができる。
なお、日にちごとに異なる基本スケジュールを実行するように設定することもできる。
【００４７】
長期スケジュール設定画面８０によって、基本スケジュールを長期的（週間、年間）にスケジューリングすることで最終的なスケジュールファイルが作成される。
すなわち、スケジュールファイルは、どのコンテンツを何時から何時まで実行させるかが指定された基本スケジュールと、基本スケジュールを週間および年間のスケジュールとして設定した長期スケジュールとを組み合わせたものである。
【００４８】
次に、図３〜図８で作成されたスケジュールファイルの例を図９に示す。
このスケジュールファイル１２０の２行目でスケジュールファイルの名称が記述されている（符号１２１）。
３行目から４行目にかけては有効期間が記述されている（符号１２２）。
５行目には、優先順位が記述されている。ここでは、優先順位が「２」である旨が記述されている（符号１２３）。
６行目から７行目には、ＢＧＭプレーヤ１６の型式や、店舗２の名称等が記述される（符号１２４）。
【００４９】
スケジュールファイル１２０の９行目から１５行目までは、週間スケジュールの内容が記述されている（符号１２５）。ここでは、毎日異なる基本スケジュールで運用するように設定されている。日曜日から火曜日までと木曜日から土曜日まではそれぞれＰＡＴ１〜ＰＡＴ６という基本スケジュールが設定され、水曜日は定休日等のため何も定義されていない。
１６行目と１７行目では、年間スケジュールの内容が記述されている（符号１２６）。ここでは、有効期間内での特定日（本実施形態では、２０００年３月４日と２０００年５月１５日）においては、曜日ごとに設定された基本スケジュールとは異なるスケジュールであるＰＡＴ７およびＰＡＴ８を実行するように定義されている。
【００５０】
上述してきたスケジュール作成装置１７によって作成されたスケジュールファイルは、コマンド作成装置１８（図１参照）に送信され、コマンド作成装置１８内のコマンド作成手段（図示せず）により、所定のスケジュールファイルをＢＧＭプレーヤ１６に対して動作指示を行なうコマンドに変換するのである。
【００５１】
なお、スケジュールファイル作成手段とコマンド作成手段とは同一の装置内に設けられていてもよい。つまり、スケジュール作成装置１７内にコマンドを作成する機能を設けていてもよく、さらに作成されたコマンドをＢＧＭプレーヤ１６へ電子メールに添付して送信できるような機能を具備していてもよい。
【００５２】
以上、本発明の好適な実施の形態について種々述べてきたが、本発明は上述する実施の形態に限定されるものではなく、発明の精神を逸脱しない範囲で多くの改変を施し得るのはもちろんである。
【００５３】
【発明の効果】
本発明に係るスケジュール作成装置およびスケジュール作成プログラムによれば、翌日にまたがったスケジュールでも容易に作成でき、しかも作成されるスケジュールの時間的長さを一律２４時間以内に収めることができる。そして、このようなスケジュールファイルの作成において手間をかけずに効率よく行なうことができる。
【図面の簡単な説明】
【図１】スケジュール作成装置が含まれたＢＧＭ再生システムの全体構成の概要を示す説明図である。
【図２】スケジュールファイル作成装置の内部構成を示した説明図である。
【図３】スケジュールの初期設定画面を示す説明図である。
【図４】基本スケジュールを設定するスケジュール設定表を示す説明図である。
【図５】スケジュール設定表が２日分連続して表示されているところを示す説明図である。
【図６】図５に示したスケジュール設定表に最初にスケジュールを入力したときの動作を示す説明図である。
【図７】図６に示したスケジュール設定表に２つ目のスケジュールを入力したときの動作を示す説明図である。
【図８】長期スケジュールの設定画面を示す説明図である。
【図９】作成されたスケジュールファイルの一例を示す説明図である。
【図１０】従来のスケジュール設定表を示す説明図である。
【符号の説明】
２  店舗
４  代理店
１０  ＢＧＭ再生システム
１２  通信回線
１４  データ送信システム
１６  ＢＧＭプレーヤ
１７  スケジュールファイル作成装置
１８  コマンド作成装置
２４  電子メール
２６  メールサーバ
２８  コンテンツ格納サーバ
４０  制御部
４２  記憶手段
４４  通信部
４５  表示手段
４６  入力手段
５０  スケジュールファイル作成手段
６０  初期設定画面
６１，６２，６５，６６  テキストボックス
６３  入力ボックス
６４  優先順位設定ボックス
６７  ＯＫボタン
７０  スケジュール設定表
７１  スケール選択ボタン
７２  アイコン
７４  コンテンツ読み出しボタン
８０  長期スケジュール設定画面
８１，８４  表
８２，８５，８６  ボックス
１２０  スケジュールファイル
【図１】
2004279533.tif 000003
【図２】
2004279533.tif 000004
【図３】
2004279533.tif 000005
【図４】
2004279533.tif 000006
【図５】
2004279533.tif 000007
【図６】
2004279533.tif 000008
【図７】
2004279533.tif 000009
【図８】
2004279533.tif 000010
【図９】
2004279533.tif 000011
【図１０】
2004279533.tif 000012